(57)【要約】【課題】  手動開閉の窓と窓枠等を共通化でき、電気工事も容易に行え、各種の窓に適用できて汎用性が高く、手動開閉の窓を容易に電動式に変更できる窓開閉装置の提供。【解決手段】  窓開閉装置５は、手動ハンドル３５を取付可能な着脱部を有する回転伝達軸３２及び回転伝達軸の回転によって障子を開閉する開閉機構に連結された連結アーム３３を備えた本体部３０と、回転伝達軸３２に連結された電動モータ４３と、電動モータ４３の駆動を制御する制御部とを有する。手動ハンドル３５の代わりに電動モータ４３を取り付けているので、窓枠、障子、開閉機構は手動操作の窓と共通化できる。窓枠内に配線する必要がないため電気工事が容易になる。ブラケット４１を交換すれば、各種の窓で電動モータ４３等を共通化でき、汎用性を向上できる。従って、手動ハンドル３５で開閉される窓を容易に電動式に変更できる。【選択図】  図３
2005256395.tif 000002
【特許請求の範囲】
【請求項１】
窓枠と、この窓枠内に配置された面材とを備えた窓において、前記面材の開閉機構を駆動して面材を開閉する窓開閉装置であって、
手動ハンドルまたはチェーン操作用プーリを取付可能な着脱部を有する回転伝達軸、及び、この回転伝達軸の回転によって動かされて前記面材を開閉する開閉機構に連結された連結部材を備えた本体部と、
前記回転伝達軸の着脱部に連結された電動モータと、
この電動モータの駆動を制御する制御部と、を有する窓開閉装置。
【請求項２】
前記回転伝達軸は、周面に歯が形成されたセレーション軸で構成され、前記電動モータの出力軸は、前記セレーション軸に嵌合するジョイント部材を介して前記回転伝達軸に連結されている請求項１に記載の窓開閉装置。
【請求項３】
前記窓枠に取り付けられて前記電動モータを支持するブラケットを備え、
このブラケットは、前記本体部の種類に応じて複数種類用意され、前記本体部に応じて選択されたブラケットが前記本体部と共に窓枠に取り付けられている請求項１または請求項２に記載の窓開閉装置。
【請求項４】
前記制御部は、コンセントに取り付けられ、かつ、配線を介して電動モータと接続されている請求項１から請求項３のいずれかに記載の窓開閉装置。
【請求項５】
前記制御部は、リモコンからの信号を受ける受信部を備え、リモコンからの操作で電動モータの駆動及び停止を制御可能に構成されている請求項１から請求項４のいずれかに記載の窓開閉装置。
【請求項６】
前記制御部は、電動モータの駆動開始後、所定時間経過した以降に、前記電動モータに流れる電流値が予め設定された閾値を越えた場合には、電動モータの駆動を停止する請求項１から請求項５のいずれかに記載の窓開閉装置。
【請求項７】
窓枠と、この窓枠内に配置された面材と、この面材を開閉する開閉機構と、この開閉機構を駆動して前記面材を開閉する請求項１から請求項６のいずれかに記載の窓開閉装置と、を備える開閉窓。
【請求項８】
窓枠と、この窓枠内に配置された面材と、この面材を開閉する開閉機構と、この開閉機構を駆動して前記面材を開閉するオペレータハンドルとを備えた開閉窓を電動化する改装方法であって、
本体部および手動ハンドルを有して構成されている前記オペレータハンドルの手動ハンドルを取り外し、
この手動ハンドルが取り付けられていた回転伝達軸に電動モータの出力軸を連結し、この電動モータを制御する制御部をコンセントに接続する開閉窓の改装方法。
【発明の詳細な説明】
【技術分野】
【０００１】
本発明は、開閉窓、例えば、ルーバー窓、オーニング窓、横辷り出し窓、縦辷り出し窓等の開閉窓の窓開閉装置、開閉窓および開閉窓の改装方法に関する。
【背景技術】
【０００２】
ルーバー窓、オーニング窓、辷り出し窓等の開閉窓においては、従来、手動ハンドルで面材を開閉するものが一般的であったが、近年、面材を電動で開閉可能な電動窓も利用されるようになった（例えば、特許文献１参照）。
特許文献１の電動窓は、モータ等の駆動部と、リミットスイッチ等の制御部とが収納されたユニットケースを縦枠に取り付けてルーバーの開閉を制御している。この特許文献１は、専用のユニットケースにモータ等を組み込むことで、補修、交換時にはユニットケースごと取り外して行うことができる。
【０００３】
【特許文献１】特開昭５９−１５７３５号公報
【発明の開示】
【発明が解決しようとする課題】
【０００４】
しかしながら、前記特許文献１では、ユニットケースが取り付けられる縦枠内に昇降枠を配置し、この昇降枠に連結された昇降作動部材を縦枠からユニットケース内に突設させなければならない。従って、手動で開閉されるサッシ窓とは異なる窓構造が必要となり、かつ、電気工事や配線も複雑になるという問題がある。さらに、専用の電動ユニットが必要となるため、例えば、縦辷り出し窓などの他の窓には適用できず、汎用性が無いという問題がある。
このため、手動操作で開閉される窓を、リフォームで電動式に変更することは非常に困難であるという問題もあった。
【０００５】
本発明の目的は、手動で開閉される窓と窓枠等を共通化でき、電気工事なども容易に行え、かつ各種の窓に適用できて汎用性が高く、手動操作で開閉される窓を容易に電動式に変更することができる開閉窓の窓開閉装置、開閉窓および開閉窓の改装方法を提供することにある。
【課題を解決するための手段】
【０００６】
本発明の窓開閉装置は、窓枠と、この窓枠内に配置された面材とを備えた窓において、前記面材の開閉機構を駆動して面材を開閉する窓開閉装置であって、手動ハンドルまたはチェーン操作用プーリを取付可能な着脱部を有する回転伝達軸、及び、この回転伝達軸の回転によって動かされて前記面材を開閉する開閉機構に連結された連結部材を備えた本体部と、前記回転伝達軸の着脱部に連結された電動モータと、この電動モータの駆動を制御する制御部と、を有することを特徴とする。
【０００７】
このような構成によれば、手動ハンドルやプーリが取付可能な回転伝達軸の着脱部に電動モータを連結しているので、手動ハンドルやプーリに掛けられたチェーンで回転伝達軸を回転した際に面材を開閉させる開閉機構は何ら変更することなく、そのまま利用することができる。従って、手動で開閉される開閉窓においても、手動ハンドル等を外して電動モータを連結することで、容易にかつ安価に電動式の開閉窓に改装することができる。
また、開閉窓の種類が異なるためなどで本体部の種類が異なる場合でも、電動モータの取付位置をブラケット等を用いて調整するだけでよく、電動モータや制御部は共通化することができる。すなわち、手動ハンドル等で操作されるオペレータハンドルの本体部を駆動するためのトルクは、手動で操作可能なトルクであるため、窓種に関係なくほぼ一定である。従って、手動ハンドル等が取り付けられる回転伝達軸を電動モータで回転する際に必要となるトルクも窓種に関係なくほぼ一定であるため、電動モータや制御部は窓種に関係なく共通化することができる。従って、本体部は、手動操作の窓と共通化することができ、かつ、電動モータや制御部は窓種に関係なく共通化することができるので、汎用性が高く、手動操作で開閉される窓を容易に電動式に変更することができる。
さらに、手動ハンドル等が取り付けられていた部分に電動モータを取り付けているので、窓枠の近傍の壁等にコンセントを設けておけば、窓枠内に配線を引き回す必要がない。このため、電気工事を担当する作業者は、窓の近くにコンセントを設置するだけでよく、窓の施工を担当する作業者は、窓の設置作業に加え、コンセントにプラグを差し込むだけで施工できる。従って、窓枠内に配線する場合は、電気工事作業と窓の設置作業とが混在して施工作業が煩雑になるのに対し、本発明では、各作業を分離できるため、作業効率を向上できる。その上、電気工事は、一般的な壁にコンセントを設置する作業のみでよく、窓枠内に配線する必要もないため、電気工事作業も簡単に行うことができる。従って、施工コストも大幅に低減できる。
【０００８】
ここで、前記回転伝達軸は、周面に歯が形成されたセレーション軸で構成され、前記電動モータの出力軸は、前記セレーション軸に嵌合するジョイント部材を介して前記回転伝達軸に連結されていることが好ましい。
通常のオペレータハンドルにおける回転伝達軸はセレーション軸で構成されている。従って、例えば、略円筒状に形成され、軸方向一端側の内周面に前記セレーション軸に嵌合する歯が形成されたジョイント部材を嵌合し、このジョイント部材内に他端側から電動モータの出力軸を差し込んでビス等で回り止めするだけで、回転伝達軸と電動モータの出力軸とを簡単に連結できる。その上、電動モータは、出力軸を有する一般的なものが利用でき、コストを低減できる。
なお、電動モータは、一般的な減速機付のものを利用すればよい。
【０００９】
また、本発明は、前記窓枠に取り付けられて前記電動モータを支持するブラケットを備え、このブラケットは、前記本体部の種類に応じて複数種類用意され、前記本体部に応じて選択されたブラケットが前記本体部と共に窓枠に取り付けられていることが好ましい。
電動モータをブラケットを介して窓枠に取り付ければ、電動モータを強固に固定できる。また、オペレータハンドルの本体部の種類が相違し、例えば、窓枠に対する回転伝達軸の位置が相違するために電動モータの配置位置が異なる場合でも、ブラケットのみを変更することで、電動モータ等は共通したものが利用でき、汎用性を向上できる。
【００１０】
また、前記制御部は、コンセントに取り付けられ、かつ、配線を介して電動モータと接続されていることが好ましい。
電動モータの駆動を制御する制御部は、電動モータと一体に形成してもよいが、本発明のように別体にすれば、開閉窓部分に取り付けられる電動モータ部分のサイズを小さくでき、開閉窓部分の意匠性を向上できるとともに、窓の使い勝手も向上できる。
この際、制御部を含む制御ユニットは、電源ケーブルを介してコンセントに取り付けてもよいが、制御ユニットにプラグを形成して制御ユニットを直接コンセントに取り付けることが好ましい。このようにすれば、制御ユニットのプラグをコンセントに差し込むだけで制御ユニットを壁に取り付けることができ、制御ユニットをビスなどで壁に固定する必要がないため、施工作業性を向上できる。
【００１１】
また、前記制御部は、リモコンからの信号を受ける受信部を備え、リモコンからの操作で電動モータの駆動及び停止を制御可能に構成されていることが好ましい。
制御部に受信部を備え、リモコン操作で電動モータの駆動を制御することができれば、例えば、吹き抜けに設けられた開閉窓のように、高所に設けられた窓の開閉操作を容易に行うことができる。また、制御部と受信部とを１つのユニットにまとめて組み込むこともでき、施工時等の取扱い性や施工作業性を向上できる。
【００１２】
さらに、前記制御部は、電動モータの駆動開始後、所定時間経過した以降に、前記電動モータに流れる電流値が予め設定された閾値を越えた場合には、電動モータの駆動を停止することが好ましい。
窓の開閉を制御する方法としては、面材が閉まった状態および開いた状態でオンされるリミットスイッチを設けて制御してもよいし、電動モータの回転量を測定するセンサを設けて制御してもよいが、スイッチやセンサが必要となり、その分、コストが高くなるとともに、回転量で制御する場合には測定誤差が発生すると、完全に窓を閉めたり開いたりすることができないという問題もある。
これに対し、本発明のように、電動モータの電流値で制御する場合には、リミットスイッチなどが不要となり、コストを低減できるとともに、面材を確実に開いたり、閉じたりできる。すなわち、面材をリンク機構などを利用して開閉する場合に、面材の可動角度範囲は面材が窓枠に当接したり、リンク機構の可動制限などによってある一定範囲に制限される。従って、電動モータで面材を開閉駆動している際に、面材が可動できない状態に達すると、電動モータの負荷が急激に増えて過負荷状態になる。この過負荷状態になると、モータの電流が急激に大きくなるため、所定の閾値を設定しておくことで容易に検出できる。従って、本発明によれば、コストを低減でき、かつ面材を確実に開閉することができる。
【００１３】
本発明の開閉窓は、窓枠と、この窓枠内に配置された面材と、この面材を開閉する開閉機構と、この開閉機構を駆動して前記面材を開閉する前記窓開閉装置と、を備えることを特徴とする。
このような開閉窓によれば、前述した窓開閉装置を備えているので、前述した窓開閉装置と同様の効果を奏することができる。すなわち、手動で開閉される開閉窓においても、容易にかつ安価に電動式の開閉窓に改装することができ、また、本体部は、手動操作の窓とそれぞれ共通化することができ、かつ、電動モータや制御部は窓種に関係なく共通化することができるので、汎用性が高く、手動操作で開閉される窓をより一層容易に電動式に変更することができる。
さらに、電気工事作業と窓の設置作業とを分離できるため、作業効率を向上できる。その上、電気工事は、一般的な壁にコンセントを設置する作業のみでよく、窓枠内に配線する必要もないため、電気工事作業も簡単に行うことができる。
【００１４】
本発明の開閉窓の改装方法は、窓枠と、この窓枠内に配置された面材と、この面材を開閉する開閉機構と、この開閉機構を駆動して前記面材を開閉するオペレータハンドルとを備えた開閉窓を電動化する改装方法であって、本体部および手動ハンドルを有して構成されている前記オペレータハンドルの手動ハンドルを取り外し、この手動ハンドルが取り付けられていた回転伝達軸に電動モータの出力軸を連結し、この電動モータを制御する制御部をコンセントに接続することを特徴とする。
このような本発明によれば、既設の手動操作式の開閉窓を、容易にかつ安価に電動式の開閉窓に改装することができる。
【発明を実施するための最良の形態】
【００１５】
以下、本発明の実施形態を図面に基づいて説明する。
図１は、本実施形態に係る開閉窓であるオーニング窓１０を室内側から見た概略斜視図、図２はオーニング窓１０の横断面図、図３は手動タイプおよび電動タイプのオペレータハンドル部分を示す分解斜視図、図４は電動モータの制御状態による電流変化を示す図である。
【００１６】
オーニング窓１０は、上枠（図示略）、下枠１２、および左右の縦枠１３を四周枠組みした窓枠１４と、この窓枠１４の内側に開閉自在に支持された複数枚（本実施形態では４枚）の障子（面材）１５とを備えて構成されている。
窓枠１４は、建物の外壁や柱１等の躯体に固定されている。
面材である障子１５は、上框１６、下框１７、および左右の縦框１８を四周框組みした内部に、パネル材、例えば、ガラスパネル１９を嵌め込んで構成されている。なお、障子１５の室内側には、適宜、網戸２０が開閉自在に設けられている。
【００１７】
窓枠１４の縦枠１３内には、障子１５を開閉するための開閉機構２１が組み込まれている。この開閉機構２１は、縦枠１３に沿って配置されて上下動可能な連動杆や、縦枠１３と障子１５との間に取り付けられた支持アーム等を有し、手動ハンドルで前記連動杆を上下動して障子１５を開閉する従来の開閉機構と同一であるため、詳細な説明は省略する。
【００１８】
一方の縦枠１３の室内面には、図３に示すように、手動式のオーニング窓と同様に、オペレータハンドルの本体部３０が取付ネジ３１を用いてビス止めされている。なお、本実施形態では、ブラケット４１も、本体部３０とともに取付ネジ３１でビス止めされている。なお、取付ネジ３１は、本体部３０に取り付けられるカバー材３０Ａで隠されており、外観意匠の低下を防止している。
【００１９】
本体部３０は、回転伝達軸３２と、この回転伝達軸３２の回転に伴って揺動される連結部材としての連結アーム３３とを備える。なお、回転伝達軸３２と連結アーム３３との間には、本体部３０内に内蔵された歯車が適宜設けられている。すなわち、本体部３０は、従来の手動ハンドルを用いた場合のオペレータハンドルの本体部と同一のものである。
従って、回転伝達軸３２は、セレーション軸とされ、図３に示すように、従来用いていた手動ハンドル３５を着脱可能に構成されている。従って、回転伝達軸３２のセレーション軸部分により手動ハンドル３５を取付可能な着脱部が構成されている。
【００２０】
回転伝達軸３２には、カップリング（ジョイント部材）４２を介して減速機付の電動モータ４３の出力軸（モータ軸）４３Ａが連結されている。
カップリング４２は、略円筒状に形成され、内部の貫通穴部分において、回転伝達軸３２側には、回転伝達軸３２の外周に形成された歯に嵌合する歯が形成され、回転伝達軸３２に対して回り止めされた状態で接合できるように構成されている。
また、カップリング４２と出力軸４３Ａとは、出力軸４３Ａをカップリング４２内に挿入し、ビスで回り止めすることなどで接合されている。
従って、電動モータ４３が駆動されると、その回転力は、出力軸４３Ａ、カップリング４２を介して回転伝達軸３２に伝達されることになる。
【００２１】
前記電動モータ４３は、ブラケット４１にビス止めされて支持されている。すなわち、回転伝達軸３２と出力軸４３Ａとをカップリング４２を介して連結する際には、各軸３２，４３Ａが同軸上に位置し、かつ、各軸３２，４３Ａ間の寸法が前記カップリング４２を介して連結可能な寸法にする必要がある。このため、電動モータ４３は、ブラケット４１によって、所定の位置に配置されている。
【００２２】
ブラケット４１には、電動モータ４３を覆い隠すモータケース４５が着脱可能に取り付けられている。また、電動モータ４３の電源コード４３Ｂは、モータケース４５内において、制御ユニット５０から延長された電源コード５１に連結されている。
制御ユニット５０は、壁に設けられたコンセント３に差し込まれるプラグと、リモコン６０からの信号（赤外線や電波）を受信する受信部と、電動モータ４３の駆動を制御するリレー回路等を備えている。従って、本実施形態では、制御ユニット５０によって制御部が構成されている。
【００２３】
リモコン６０には、窓を開く際の押す開ボタンと、閉める際に押す閉ボタンと、駆動を停止する停止ボタンとが設けられ、利用者がこれらのボタンを押して操作することで、電動モータ４３の駆動を制御できるようにされている。
従って、オペレータハンドルの本体部３０、ブラケット４１、カップリング４２、電動モータ４３、モータケース４５、制御ユニット５０により、本発明の窓開閉装置５が構成されている。
【００２４】
［改装時の施工方法］
次に、本実施形態において、既存の手動操作タイプのオーニング窓を、電動操作タイプのオーニング窓１０に改装する手順について説明する。
まず、既存のオーニング窓の手動ハンドル３５を回転伝達軸３２から取り外す。また、連結アーム３３を開閉機構２１から取り外すと共に、取付ネジ３１を外してオペレータハンドルの本体部３０を縦枠１３から取り外す。
次に、本体部３０にブラケット４１を合わせておくとともに、回転伝達軸３２にカップリング４２を取り付け、さらに、電動モータ４３の出力軸４３Ａをカップリング４２に差し込んで取り付ける。さらに、電動モータ４３をブラケット４１にビス止めする。
次に、ブラケット４１および本体部３０を取付ネジ３１で縦枠１３に取り付ける。そして、連結アーム３３を開閉機構２１に連結する。
【００２５】
また、制御ユニット５０と電動モータ４３とを接続（結線）し、制御ユニット５０をコンセント３に差し込んで取り付ける。なお、コンセント３が設けられていない場合には、別途、電気工事業者にコンセント３を壁に増設させておけばよい。
以上の施工により、手動操作タイプのオーニング窓を電動操作タイプのオーニング窓１０に変更することができる。
【００２６】
［新設時の施工方法］
なお、電動操作タイプのオーニング窓１０を新設する場合は、手動ハンドル３５を外す作業が不要となる点が前記改装時の手順と相違するが、その他は同様の手順で行えばよい。
【００２７】
［オーニング窓の開閉制御］
次に、本実施形態のオーニング窓１０における開閉制御に関し説明する。
リモコン６０の開ボタンが押された場合には、電動モータ４３が駆動されて回転伝達軸３２を手動ハンドル３５で窓を開く方向に回転する。すると、手動ハンドル３５を回した場合と同様に、開閉機構２１が動作して各障子１５が開く。この場合、負荷つまり回転伝達軸３２を回転させるためのトルクがほぼ一定であるので、電動モータ４３に供給される電力の電流値もほぼ一定値となる。
そして、障子１５が全開状態になってそれ以上開くことができなくなると、電動モータ４３が過負荷状態となり、電流値も急激に高くなる。従って、図４に示すように、電動モータ４３の電流値が所定のしきい値（閾値）Ｓを所定時間ｔ１の間、継続して越えた場合には、制御ユニット５０は電動モータ４３を停止する。電動モータ４３の停止中は電力も供給されないので、電流も流れなくなる。
【００２８】
利用者がオーニング窓１０を閉めようとして閉ボタンを押すと、電動モータ４３が逆回転されて、回転伝達軸３２を手動ハンドル３５で窓を閉じる方向に回転する。すると、手動ハンドル３５を回した場合と同様に、開閉機構２１が動作して各障子１５が閉められる。
ここで、停止状態の電動モータ４３を反転させた場合、ギアの食いつき（摩擦抵抗）が大きくなって一時的に電動モータ４３が過負荷状態となり、電流がしきい値Ｓを越えてしまう可能性がある。このため、本実施形態の制御ユニット５０は、電動モータ４３の駆動が指示された時（ボタンが押された時）から所定時間ｔ２の間は、電流値としきい値Ｓとの比較制御を停止するか、または、しきい値自体をより大きな値Ｓ２に変更することで、電動モータ４３の駆動開始直後のギア食いつきによる過負荷状態が発生しても電動モータ４３を停止せずに駆動し続けるように制御している。なお、駆動開始時に一時的に高くなる電流値は、電動モータ４３により回転伝達軸３２が駆動されると共にほぼ一定値となる。
【００２９】
閉ボタンを押して電動モータ４３が反転され、障子１５が閉められて全閉状態になると、電動モータ４３は過負荷状態となり、電流値も急激に高くなる。従って、図４に示すように、障子１５が全開状態となった場合と同様に、電動モータ４３の電流値が所定のしきい値Ｓを所定時間ｔ１を越えた場合には、制御ユニット５０は電動モータ４３を停止する。
【００３０】
再度、開ボタンが押されると、電動モータ４３により障子１５が開かれる。この開ボタンを押した場合も、所定時間ｔ２はしきい値Ｓによる制御を行わず、電動モータ４３の駆動を続行する。そして、所定時間ｔ２の経過後に、電流がしきい値Ｓを所定時間ｔ１の間越えると、制御ユニット５０は電動モータ４３を停止する。
以上の制御を繰り返すことで、障子１５の開閉制御が行われる。なお、障子１５を全開状態ではなく、所定の角度分だけ開く場合には、障子１５が所望の角度まで開いた時点で停止ボタンを押して電動モータ４３を停止させればよい。
【００３１】
このような本実施形態によれば、以下のような効果がある。
（１）手動操作タイプのオーニング窓の手動ハンドル３５を取り外し、電動モータ４３を取り付けることで電動操作タイプのオーニング窓１０を構成できるので、窓枠１４、障子１５、開閉機構２１等のサッシ本体は手動ハンドル３５で操作される一般的なものをそのまま利用できる。従って、従来のように、縦枠に専用の電動ユニットを取り付けるために、縦枠に特別な加工を施したりする場合に比べて、汎用性が高く、コストも低減できる。
また、手動ハンドル３５を取り外して電動モータ４３を取り付ければよいため、手動操作タイプから電動操作タイプへの変更が非常に簡単に行える。従って、アフターサービスや、リフォーム対応時に簡単にかつ低コストで電動タイプに変更することができ、利用者の要望に対しても柔軟に対応することができる。
さらに、電動モータ４３等を外して手動ハンドル３５を取り付けるだけで簡単に手動操作タイプに戻すこともできるため、例えば、賃貸住宅などで居住者の要望で一定期間のみ電動タイプにすることも簡単に行うことができる。
【００３２】
（２）手動ハンドル３５の代わりに電動モータ４３を設けて駆動するため、オーニング窓１０に限らず、ガラスルーバー窓、横辷り出し窓、縦辷り出し窓等のハンドル操作で開閉していた各種の開閉窓に適用できる。すなわち、各種の開閉窓においては、納まりや意匠のために、オペレータハンドルの本体部の寸法や回転伝達軸３２の傾斜方向などが相違する場合がある。このため、例えば、ブラケット４１が取り付けられる窓枠１４の室内面を基準とした場合、電動モータ４３の位置はそれぞれ異なる。このような場合でも、ブラケット４１のみを各種用意しておけば、カップリング４２、電動モータ４３、制御ユニット５０は各種の開閉窓で共通したものが利用でき、この点でも汎用性を向上でき、部品種類を少なくできてコストを低減できる。
【００３３】
（３）従来のように、電源コードを窓枠内まで配線する必要がないため、電気工事業者はコンセント３の設置作業のみを行えばよく、その他の作業はサッシ窓の施工作業者が行うことができる。
従って、電気工事とサッシの施工作業とを分けることができ、施工作業の工程管理が容易となり、施工作業性も向上でき、施工コストも低減できる。
特に、電気工事は、壁にコンセント３を設置するという、電気工事業者が通常行っている作業のみを行えばよく、窓枠内まで配線するという特殊な工事を行う必要がないため、電気工事作業を効率よくかつ低コストで行うことができる。
また、サッシの施工業者も、通常の手動操作タイプの開閉窓の施工に加えてブラケット４１、電動モータ４３の取付作業等を行えば、その後は、制御ユニット５０をコンセント３に差し込むだけでよいため、施工作業性を低下させるものではなく、従来と同様の作業性で施工できる。
【００３４】
（４）従来の電動操作タイプの開閉窓は、専用ユニットを専用の窓枠に取り付けたり、壁にコントローラボックスを埋め込み、さらにこのコントローラボックスと専用ユニット間を結ぶ配線を壁内に埋め込んだりしなければならず、作業工程が多くなるとともに、専用部品が必要となるため、コストも高いものであった。このため、吹き抜け空間などの高い位置には、開閉できないＦＩＸ窓が採用されることが多かった。
これに対し、本実施形態のオーニング窓１０は、手動操作タイプのオーニング窓を流用できるため部品コストを低くでき、かつ、壁内の配線作業などが不要なため作業コストも低くできるため、従来の電動操作タイプに比べて安価に提供できる。従って、コスト面で設置が難しかった部分にも開閉窓を設置でき、採光性の向上の他、換気機能を向上できて優れた居住空間を形成できる。
【００３５】
（５）カップリング４２を利用して電動モータ４３の出力軸４３Ａと回転伝達軸３２とを連結しているので、通常の電動モータ４３を利用できる。さらに、カップリング４２は回転伝達軸３２のセレーション軸部分に嵌合可能に構成したので、回転伝達軸３２に差し込むだけで連結でき、連結作業を容易に行うことができる。
【００３６】
（６）電動モータ４３と制御ユニット５０とを別体としたので、窓開閉装置５においてオーニング窓１０の窓枠１４に取り付けられる部品の寸法サイズを小さくできる。従って、オーニング窓１０の意匠性を向上でき、窓を利用する際に窓開閉装置５が邪魔となることも少なくなり、窓の使い勝手も向上できる。
また、制御ユニット５０にプラグが形成され、制御ユニット５０を直接コンセント３に差し込んでいるので、制御ユニット５０を別途、ビスなどを用いて壁に固定する必要が無く、施工作業性を向上できる。さらに、制御ユニット５０にリモコン６０からの信号を受ける受光部が形成されている場合には、この制御ユニット５０をコンセント３に取り付けることなどで壁面に配置することで、リモコン６０からの信号を受信し易くでき、操作性のよいオーニング窓１０とすることができる。その上、リモコン操作で電動モータ４３の駆動を制御することができるので、高所に設けられた窓の開閉操作も容易に行うことができる。また、制御部と受信部とを１つのユニットにまとめて組み込むこともでき、施工時等の取扱い性や施工作業性を向上できる。
【００３７】
（７）制御ユニット５０は、電動モータ４３の電流値に基づいて過負荷状態を検出して電動モータ４３の停止制御を行っているので、リミットスイッチや回転量検出センサを不要にできてコストを低減でき、かつ、過負荷状態を検出しているので、窓が全開状態や全閉状態になったことを検出でき、確実に開閉できる。
また、電動モータ４３の駆動開始後、所定時間ｔ２経過した以降に、前記電動モータ４３に流れる電流値が予め設定されたしきい値Ｓを越えた場合に、電動モータ４３の駆動を停止しているので、所定時間ｔ２以内にしきい値Ｓを越えても、電動モータ４３の駆動を続行できる。このため、ギアの噛み込みなどで一時的に過負荷状態になっても、電動モータ４３の駆動を継続でき、障子１５を確実に開閉することができる。
【００３８】
なお、本発明は、前記各実施形態に限定されるものではなく、本発明の目的を達成できる他の構成等を含み、以下に示すような変形等も本発明に含まれる。
例えば、窓開閉装置５は、停電時にオーニング窓１０を開閉できる機構を設けてもよい。例えば、乾電池等が組み込まれた非常用電池ユニットを別途用意し、これを制御ユニット５０に接続して電源供給し、停電時でも一時的に窓１０を開閉できるようにしてもよい。
また、カップリング４２の外周面を断面六角形に構成し、専用のレンチでカップリング４２および回転伝達軸３２を回転して窓１０を開閉できるように構成してもよい。
さらに、ブラケット４１をスライド移動などできるように構成し、電動モータ４３およびカップリング４２を回転伝達軸３２から外し、回転伝達軸３２に手動ハンドル３５を取り付けて手動で窓１０を開閉できるように構成してもよい。
【００３９】
制御ユニット５０は、過負荷状態の検出を電流値で行うものに限らず、電圧値等の他のデータに基づいて制御してもよい。また、障子１５が全閉状態および全開状態になった場合にオンされるリミットスイッチや、電動モータ４３の回転量を検出するセンサなどを設けて障子１５の駆動を制御してもよい。
【００４０】
制御ユニット５０は専用のリモコン６０で操作される場合に限らず、例えば、携帯電話機やテレビ等の他の電気製品のリモコンで制御できるようにしてもよい。特に、本発明では、開、閉、停止の３つの状態のみを指示できればよいので、携帯電話機や他のリモコンに所定の信号を発光（発信）できるようにすることで、携帯電話機等を容易に利用できる。
【００４１】
また、制御ユニット５０に、操作ボタンを設けることで、制御ユニット５０のボタン操作で制御してもよい。さらに、制御ユニット５０の操作ボタンとリモコン６０との両方で制御できるようにしてもよい。
また、制御ユニット５０は、ボタン操作に基づいて電動モータ４３を駆動する場合に限らず、例えば、ガスセンサや火災センサ（煙や熱を検出するセンサ）等からの信号に基づいて障子１５を開閉してもよい。この場合、換気が必要な状況をセンサが検出することで自動的に障子１５を開いて換気を行うことができる。
【００４２】
制御ユニット５０は、コンセント３に直接差し込むタイプに限らず、電源コードを介してコンセント３に差し込まれるものでもよい。
また、前記実施形態では、電動モータ４３と制御ユニット５０とを別体としていたが、一体に構成してもよい。但し、前記実施形態のように、別体にしたほうが、窓枠１４に取り付けられる部分をコンパクトにできる利点がある。
【００４３】
ブラケット４１は、１種類のみ用意し、各種の窓で兼用して利用してもよいし、複数種類用意して各種の窓毎に利用してもよい。例えば、各種の窓において、手動ハンドル３５を用いたオペレータハンドルの本体部３０が共通している場合には、１種類のブラケット４１を用意すればよく、部品種類を少なくできる。
また、本体部３０の種類が異なる場合でも、例えば、ブラケット４１を窓枠に取り付ける取付ネジ３１が挿通される取付穴や、電動モータ４３が取り付けられる穴を長穴にしたり、複数形成することなどで、本体部３０の相違を吸収できるようにして、１種類のブラケット４１で対応してもよい。また、回転伝達軸３２と出力軸４３Ａとの接続をユニバーサルジョイントを利用することなどで、本体部３０の種類の相違を吸収できるようにしておくことで、ブラケット４１を１種類としてもよい。
同様に、ブラケット４１を複数種類用意する場合でも、すべての窓種毎に用意する場合に限らず、前述のように長穴等にすることで、複数種の窓毎にブラケット４１を共通化できるようにすることで、窓種の種類に比べてブラケット４１の種類を少なくしてもよい。
【００４４】
前記実施形態では、ブラケット４１に電動モータ４３を直接固定していたが、スペーサ部材等を介して固定してもよい。このように構成すれば、各窓種の違いなどで本体部３０が異なり、電動モータ４３の配置位置が異なる場合に、その相違をスペーサ部材で吸収するようにすれば、ブラケット４１の種類を少なくできる利点がある。
また、前記実施形態では、電動モータ４３を支持するブラケット４１は、本体部３０と共に窓枠１４に取り付けていたが、本体部３０とは別に窓枠１４や柱１等の躯体に取り付けてもよい。すなわち、本発明においては、開閉機構２１に連結する必要がある本体部３０を窓枠１４に取り付ければよく、ブラケット４１は窓枠１４に取り付けてもよいし、躯体に取り付けてもよい。但し、前記実施形態のように本体部３０と共に窓枠１４に取り付けたほうが、取付ネジ３１を兼用できて取付構造を簡単にできる利点がある。
【００４５】
回転伝達軸３２と電動モータ４３との連結は、カップリング４２を用いたものに限らない。例えば、回転伝達軸３２と出力軸４３Ａとが同軸上に配置されていない場合等は、ユニバーサルジョイント等を用いて連結してもよい。
さらに、電動モータ４３の出力軸４３Ａを手動ハンドル３５と同様に回転伝達軸３２を挿入可能に構成した場合には、回転伝達軸３２と出力軸４３Ａとを直接連結してもよい。
要するに、電動モータ４３の回転を回転伝達軸３２に伝達できるものであればよい。
【００４６】
本発明の窓開閉装置５が適用される窓としては、オーニング窓１０に限らず、ガラスルーバー窓、横辷り出し窓、縦辷り出し窓等、オペレータハンドルが設けられる各種の開閉窓に適用できる。
さらに、開閉窓としては、手動ハンドル３５が設けられたものに限らず、回転伝達軸にプーリを取り付けておき、このプーリに掛けられたチェーンを操作することで手動開閉していた窓を電動化する場合にも適用できる。この場合は、回転伝達軸からプーリを取り外して電動モータ４３を取り付ければよい。
【００４７】
また、本発明の窓開閉装置５を、複数の窓にそれぞれ取り付けて制御してもよい。この場合、制御ユニット５０およびリモコン６０に、それぞれやり取りする信号の種類を切換可能なスイッチ（信号モード切換スイッチ）を設けておき、リモコン６０は操作したい窓の制御ユニット５０が設定されているモードに切り換えて制御してもよい。
さらに、例えば、電源線を介して制御信号を送信可能に設定し、各制御ユニット５０をホームオートメーション等で集中制御できるように構成してもよい。
【００４８】
さらに、モータケース４５の有無、電動モータ４３の種類などは実施にあたって適宜設定すればよい。
また、前記実施形態では、コンセント３からの商用電力を用いて電動モータ４３を駆動していたが、例えば、制御ユニット５０内に電池（１次電池）やバッテリ（２次電池）を内蔵し、その電力で駆動するようにしてもよい。この場合、例えば、太陽電池を窓や壁等に設け、その発電電力を蓄電して利用してもよい。
【００４９】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００５０】
【図１】本発明の実施形態に係るオーニング窓を示す概略斜視図である。
【図２】前記オーニング窓を示す横断面図である。
【図３】前記オーニング窓の窓開閉装置を示す分解斜視図である。
【図４】前記窓開閉装置の制御方法を説明する説明図である。
【符号の説明】
【００５１】
１…柱、３…コンセント、５…窓開閉装置、１０…オーニング窓、１２…下枠、１３…縦枠、１４…窓枠、１５…障子、１６…上框、１７…下框、１８…縦框、１９…ガラスパネル、２０…網戸、２１…開閉機構、３０…本体部、３０Ａ…カバー材、３１…取付ネジ、３２…回転伝達軸、３３…連結アーム、３５…手動ハンドル、４１…ブラケット、４２…カップリング、４３…電動モータ、４３Ａ…出力軸、４３Ｂ…電源コード、４５…モータケース、５０…制御ユニット、５１…電源コード、６０…リモコン。
【図１】
2005256395.tif 000003
【図２】
2005256395.tif 000004
【図３】
2005256395.tif 000005
【図４】
2005256395.tif 000006